(57)【要約】【課題】遠心分離濾過の作業効率を向上することで、油脂成分およびスカム等の微細な汚水物から生ゴミの滓等の比較的大きな汚水物を短時間で十分且つ確実に除去することができ、しかも低コストで浄化処理が行えるようにする。【解決手段】濾過容器２と、濾過容器２下方に配置された駆動部３と、該駆動部３によって回転可能となるように支承した２次フィルタ槽１１と、２次フィルタ槽１１内に固定配置し、２次フィルタ槽１１と一緒に回転する１次フィルタ槽１２と、１次フィルタ槽１２内へ上方から汚水を供給する汚水供給管２０とを有する。そして、２次フィルタ槽および１次フィルタ槽それぞれに、油吸着機能および透水性を有する材質で構成された濾過紙を内装させる。【選択図】図１
2010099585.tif 000002
【特許請求の範囲】
【請求項１】
濾過容器と、濾過容器下方に配置された駆動部と、該駆動部によって回転可能となるよう濾過容器内に支承された２次フィルタ槽と、
２次フィルタ槽内に固定配置され２次フィルタ槽と一緒に回転する１次フィルタ槽と、１次フィルタ槽内へ上方から汚水を供給する汚水供給管と、
を有することを特徴とする汚水浄化装置。
【請求項２】
濾過容器内の蓋部に対し、１次フィルタ槽および２次フィルタ槽を回転可能に支承させるジョイント手段を有し、該ジョイント手段は当該蓋部下面から１次フィルタ槽内に突出した汚水供給管を介して当該蓋部下面に着脱可能に取り付けられるジョイント軸部と、
１次フィルタ槽の上方開口部側を閉蓋する蓋部と、を備え、
１次フィルタ槽の蓋部は、軸受を介して前記ジョイント軸部に対し回転可能に支承されて成る請求項１記載の汚水浄化装置。
【請求項３】
２次フィルタ槽および１次フィルタ槽それぞれには、油吸着機能および透水性を有する材質で構成された濾過紙を内装させている請求項１または２記載の汚水浄化装置。
【請求項４】
２次フィルタ槽および１次フィルタ槽それぞれに内装された濾過紙の内側に網状筒体を装着させている請求項１乃至３のいずれか記載の汚水浄化装置。
【発明の詳細な説明】
【技術分野】
【０００１】
本発明は、例えば業務用の厨房設備等の種々の施設から排出される汚水を浄化するための汚水浄化装置に関する。
【背景技術】
【０００２】
従来、厨房等からの排水中の細かいゴミや油脂等の汚水物を除去するために当該汚水物をトラップする所謂グリーストラップと称する汚水溜め機構を地下等に設けている。この汚水溜め機構は、図６に示すように、グリーストラップの入口にバスケット１０１が設置され、グリーストラップ内には２枚の仕切板１０２、１０３で区画された１次槽１０４、２次槽１０５、３次槽１０６が設けられている。使用に際し、バスケット１０１で生ゴミ等の予め大きな汚物が除去され、油脂や細かいゴミ等を含む汚水物はグリーストラップ内に流れ込んで１次槽１０４、２次槽１０５、３次槽１０６の順に移動されて行き、浮上油や沈殿物等を残して下水に排水される。浮上油や沈殿物等の残渣物はその後、回収処理される。
【０００３】
このような埋設型の汚水溜め機構では、グリーストラップの１次槽１０４、２次槽１０５、３次槽１０６それぞれの上部に浮遊滞留する油脂成分および比重の小さいスカム等が滞留蓄積して汚れがひどくなるため、これを定期的にクリーニングする必要がある。このクリーニング方法としては、例えば、油吸着剤を散布して油脂成分を凝固させた後、適当な網を用いて手作業により凝固した油脂成分を除去するとか、あるいは凝固した油脂成分をバキュームカーを使って強制的に吸引除去するとかの方法が採られている。
【０００４】
また、従来における業務用の汚水浄化装置としては、例えば特許文献１に開示されているように、円筒形の濾過部の内部に、側面および底面に多数の開孔が形成された金属円筒による駕籠形の容器が設けられ、その底面部分は、駆動部内に設置されている駆動装置の回転軸に固定され、容器の内部には、同じく金属メッシュから成る円筒形の駕籠形の容器が固定され、さらにこの内部に、油脂成分およびスカムを除去して浄化された汚水だけを濾過するための網状布が装着されて成るものが提供されている。
【０００５】
そして、濾過を行う際には、まず、網状布内に油吸着剤を投入した後、吸水管によって汚水溜めから吸い上げた汚水を、給水管を通して網状布内へ注入し、汚水中の油脂成分を吸着凝固させる。次に、駆動装置によって回転軸を介して、側面および底面に多数の開孔が形成された容器を高速回転させて汚水中の凝固油脂成分を遠心分離させることにより、油脂成分およびスカムの除去された汚水を網状布で強制的に濾過して排水管へ排出するものとしている。
【特許文献１】特許第３０３８１４０号公報
【発明の開示】
【発明が解決しようとする課題】
【０００６】
しかしながら、従来における上記構成によるグリーストラップを使った埋設型の汚水溜め機構では、下水に排水される処理後の水であっても行政機関が指摘する基準には至っていないのが実状である。
【０００７】
しかも、前記したような各種のクリーニング方法では、作業が煩雑でしかも作業員の手を汚す等の負担を強いることから、クリーニングしないでそのまま放置されている場合が殆どであった。このため、配水管が詰まったり環境汚染を引き起こしたりする原因とになっていた。さらに、バキュームカーを使って強制的に吸引除去する方法では、当該バキュームカーの駐車場の問題や、通りに面した１階以外の階や地下に在る店舗の厨房については適用不可能であり、さらに費用が嵩むという問題点を有していた。
【０００８】
また、特許文献１に開示されている汚水浄化装置なる技術では、駆動装置によって回転軸を介して高速回転される、側面および底面に多数の開孔が形成された金属円筒による駕籠形の容器は、単一構造によるものであって、その容器内部に、網状布が装着された金属メッシュから成る円筒形の駕籠形の容器が固定されて一体構造となっている。このことから、単一構造の容器による遠心分離での濾過では作業効率が非常に悪く、油脂成分およびスカム等の微細な汚水物から生ゴミ滓等の大きなものまでの汚水物を短時間で十分且つ確実に除去することが困難であり、したがって処理後の水を清水に近い状態に保つことができない。
【０００９】
そこで、本発明は、叙上のような従来存した諸事情に鑑み案出されたもので、遠心分離濾過の作業効率を向上させることで、油脂成分およびスカム等の微細な汚水物から生ゴミの滓等の比較的大きな汚水物を短時間で十分且つ確実に除去することができ、しかも低コストで浄化処理が行えるものとした汚水浄化装置を提供することを目的とする。
【課題を解決するための手段】
【００１０】
上述した課題を解決するため、本発明にあっては、
濾過容器と、濾過容器下方に配置された駆動部と、該駆動部によって回転可能となるよう濾過容器内に支承された２次フィルタ槽と、
２次フィルタ槽内に固定配置され２次フィルタ槽と一緒に回転する１次フィルタ槽と、１次フィルタ槽内へ上方から汚水を供給する汚水供給管と、
を有することを特徴とする。
【００１１】
濾過容器内の蓋部に対し、１次フィルタ槽および２次フィルタ槽を回転可能に支承させるジョイント手段を有し、該ジョイント手段は当該蓋部下面から１次フィルタ槽内に突出した汚水供給管を介して当該蓋部下面に着脱可能に取り付けられるジョイント軸部と、
１次フィルタ槽の上方開口部側を閉蓋する蓋部と、を備え、
１次フィルタ槽の蓋部は、軸受を介して前記ジョイント軸部に対し回転可能に支承されて成る。
【００１２】
２次フィルタ槽および１次フィルタ槽それぞれには、油吸着機能および透水性を有する材質で構成された濾過紙を内装させている。
【００１３】
２次フィルタ槽および１次フィルタ槽それぞれに内装された濾過紙の内側に網状筒体を装着させている。
【発明の効果】
【００１４】
本発明によれば、汚水浄化装置において、遠心分離濾過の作業効率を向上させることで、油脂成分およびスカム等の微細な汚水物から生ゴミの滓等の比較的大きな汚水物を短時間で十分且つ確実に除去することができ、しかも低コストで浄化処理が行える。
【００１５】
すなわち、本発明は、
濾過容器と、濾過容器下方に配置された駆動部と、該駆動部によって回転可能となるよう濾過容器内に支承された２次フィルタ槽と、
２次フィルタ槽内に固定配置され２次フィルタ槽と一緒に回転する１次フィルタ槽と、１次フィルタ槽内へ上方から汚水を供給する汚水供給管と、
を有するので、
低コストで且つ効率良く浄化処理が行える二重フィルタ構造の遠心分離構造が容易に形成される。
【００１６】
濾過容器内の蓋部に対し、１次フィルタ槽および２次フィルタ槽を回転可能に支承させるジョイント手段を有し、該ジョイント手段は当該蓋部下面から１次フィルタ槽内に突出した汚水供給管を介して当該蓋部下面に着脱可能に取り付けられるジョイント軸部と、
１次フィルタ槽の上方開口部側を閉蓋する蓋部と、を備え、
１次フィルタ槽の蓋部は、軸受を介して前記ジョイント軸部に対し回転可能に支承されて成るので、
濾過容器の蓋部をジョイント軸部から取り外すことで濾過容器内の両フィルタ槽の分解が簡単に行えるものとなり、したがって両フィルタ槽の清掃が容易に行える。しかも、駆動部の作動で２次フィルタ槽と一体となって回転する１次フィルタ槽は、軸ブレ・偏心を生じさせずにスムーズに高速回転させることができ、これによって汚水物の遠心分離による濾過作業の効率を向上させることができる。
【００１７】
２次フィルタ槽および１次フィルタ槽それぞれには、油吸着機能および透水性を有する材質で構成された濾過紙を内装させているので、油脂成分およびスカム等の微細な汚水物から生ゴミの滓等の比較的大きな汚水物を短時間で十分且つ確実に除去することができる。例えば、このような濾過紙を内装させた二重構造によるフィルタ槽により、汚水物は約５％程度に濃縮され、９５％の清水が容易に得られる。しかも、価格の安い濾過紙を採用することにより、低コストで浄化処理が行える。さらに、高濃度に濃縮された汚水物は、使用済みの濾過紙を両フィルタ槽内から取り外すだけで、作業者の手を汚さずにまとめて廃棄処分されることから大幅なコスト削減が可能となった。
【００１８】
２次フィルタ槽および１次フィルタ槽それぞれに内装された濾過紙の内側に網状筒体を装着させているので、比較的大きな汚水物を容易に捕獲することができ、しかも浄化処理後の両フィルタ内の清掃が簡単に行える。
【発明を実施するための最良の形態】
【００１９】
以下、図面を参照して本発明を実施するための最良の一形態を詳細に説明する。
【００２０】
本発明に係る汚水浄化装置は、図１および図２に示すように、下面四隅にキャスターＫを取り付けて搬送可能とした基台１の上面に、円筒形の濾過容器２を備え、基台１の内部には濾過容器２内の後述する２次フィルタ槽１１と１次フィルタ槽１２とを同時に回転駆動するための駆動部３が設けられている。
【００２１】
この駆動部３内には、２次フィルタ槽１１を回転駆動する駆動モータ４、該駆動モータ４の回転数を例えば段階的に制御する制御回路部５等が配され、基台１の縁端部には例えばダイヤル型ボリューム等のスイッチ６、電源接続用のコンセント付きのコード７が取り付けられている。また、基台１内には濾過容器２内側から基台１側面に向けて連通したエルボー管状の排水管８が設けられている。
【００２２】
基台１の上面部中央には上方に突き出された円筒状の開口部９が形成され、駆動モータ４の回転軸４ａがその開口部９を介して濾過容器２内部に延出されている。そして、濾過容器２内には、周面に多数の開孔１０が形成された金属製の円筒駕籠型による２次フィルタ槽１１が配され、その底面中央部分から下方に向けて突設されている円筒状の軸筒部１３が前記開口部９にボールベアリング等の上下一対のラジアル軸受１４を介して回転可能に支承されている。
【００２３】
このとき、基台１の上面部中央の開口部９の円筒上面部に沿って周設された環状凹所には、例えばＯリング等の防水用のシーリング部材１５を嵌め込んであり、２次フィルタ槽１１の下面はこのシーリング部材１５の上を摺動するようにして回転すると共に、濾過容器２内の被処理水がラジアル軸受１４を介して基台１内部に浸入しないようになっている。
【００２４】
また、２次フィルタ槽１１の軸筒部１３には、駆動部３内に設置されている駆動モータ４の回転軸が嵌着されており、これによって駆動モータ４の作動で２次フィルタ槽１１が高速回転するようになっている。
【００２５】
さらに、２次フィルタ槽１１の内部には、当該２次フィルタ槽１１の外径よりも小さく、周面に多数の開孔１０が形成された金属製の円筒駕籠型による１次フィルタ槽１２が配されている。すなわち、この１次フィルタ槽１２は、その上方開口部の位置よりも若干下方側周囲に固設した円板形フランジ状の蓋部１２ａを介して、２次フィルタ槽１１の上部開口部に脱着可能となるように嵌着されている。
【００２６】
また、濾過容器２の蓋部１９に対し１次フィルタ槽１２を回転可能に支承させるためのジョイント手段Ｐが設けられている。すなわち、１次フィルタ槽１２の上方開口部には、キャップ状の蓋部１２ｂが脱着可能となるように被嵌され、該蓋部１２ｂの中央には、ボールベアリング等の上下一対のラジアル軸受１４を介して回転可能に支承された断面Ｔ字型筒体によるジョイント軸部１６を備えて成るジョイント手段Ｐが設けられている。
【００２７】
具体的には、ジョイント手段Ｐは、濾過容器２の蓋部１９下面から１次フィルタ槽１２内に突出した汚水供給管２０を介して当該蓋部１９下面に着脱可能に取り付けられるジョイント軸部１６と、１次フィルタ槽１２の上方開口部側を閉蓋する蓋部１２ｂとを備え、該蓋部１２ｂはラジアル軸受１４を介してジョイント軸部１６に対し回転可能に支承されている。
【００２８】
この１次フィルタ槽１２側の蓋部１２ｂは、図２に示すように、筒状の内嵌部分１２ｃと、上端開口側から下方に向けて逆Ｕ字状に折り返された周溝部分１２ｄとから成り、内嵌部分１２ｃが１次フィルタ槽１２の上方開口部に嵌め込められてから、１次フィルタ槽１２の上方開口部端部が周溝部分１２ｄ内に嵌合される。
【００２９】
このとき、図３に示すように、周溝部分１２ｄの外周壁部に設けられた横Ｌ字型の係止溝部１２ｅに、１次フィルタ槽１２の上方開口部側周面に突設された係止突起１２ｆを嵌め込んで捻るようにして係止させることでしっかりと固定されるようにしても良い。
【００３０】
ジョイント軸部１６の上端開口側には環状のフランジ部１７が形成されており、該フランジ部１７には複数のボルト孔１８が形成されている。また、このフランジ部１７のボルト孔１８に対応して、濾過容器２側の蓋部１９にも複数のボルト孔１８が形成されている。
【００３１】
そして、中央にエルボー管状の汚水供給管２０が貫設された濾過容器２側の蓋部１９が当該濾過容器２の上方開口部に被嵌されると同時に、汚水供給管２０がジョイント軸部１６の筒内に嵌め込められる。この際、ジョイント軸部１６のフランジ部１７に形成されているボルト孔１８と、濾過容器２側の蓋部１９に形成されているボルト孔１８とを互いに合致させ、上方からボルト１８ａをねじ込むことで、１次フィルタ槽１２の蓋部１２ａと濾過容器２の蓋部１９とがジョイント軸部１６を介して回転自在に連結される。尚、汚水供給管２０にはホースが接続され、吸水ポンプを介して不図示の汚水槽内に投入される。また、ジョイント軸部１６のフランジ部１７と濾過容器２の蓋部１９の固定手段はボルト１８ａに限られるものではないこと勿論である。
【００３２】
而して、駆動モータ４の作動で２次フィルタ槽１１と１次フィルタ槽１２とが同時に高速回転する二重構造の遠心分離構造が形成される。
【００３３】
また、２次フィルタ槽１１および１次フィルタ槽１２それぞれには、油吸着機能および透水性を有する材質で構成された例えば濾過紙２１を、図４に示すように、その中央部分から周辺を引き起こすようにして内装させ、この濾過紙２１により、油脂成分およびスカム等の汚水物の除去機能を高めるようにしている。
【００３４】
而して、ジョイント手段Ｐとしては、図５に示すように、図１乃至図３の構造の手段とは別構造のものを採用することもできる。
すなわち、蓋部材３０の中央下面に受具３１が固着されると共に、この受具３１の中央下面には軸受孔３１ａが下向きに開口して形成されている。
【００３５】
一方、一次フィルタ槽３２の中央上面には継手３３が垂直に固定されている。そして、この継手３３の上端には回転軸部３３ａが突設され、該回転軸部３３ａが受具３１の軸受孔３１ａ内へ挿入されている。回転軸部３３ａの上端外周にはフランジ３３ｂが形成されており、該フランジ部３３ｂが軸受孔３１ａ上壁に設けられた係止孔３１ｂに回転自在に係合されている。
【００３６】
このように構成されることにより蓋部材３０に対して一次フィルタ槽３２が受具３１と継手３３を介して回転可能に支承される。図中３４は汚水供給管を示す。その他、濾過容器、二次フィルタ槽、配水管、モータ等の駆動機構等々は全て前記実施例と変わりはない。
【００３７】
尚、図３に示すように、２次フィルタ槽１１および１次フィルタ槽１２それぞれに内装された濾過紙２１に加えて、さらにその内側には、比較的大きな汚水物を捕獲させるための合成樹脂製の網状筒体２２を装着しても良い。
【００３８】
次に、以上のように構成された最良の形態についての使用、動作の一例について説明する。
【００３９】
先ず、図２に示すように、濾過容器２用の蓋部１９からボルト１８ａを取り外してから、濾過容器２の蓋部１９を外し、さらに１次フィルタ槽１２の蓋部１２ｂを取り外す。
【００４０】
そして、２次フィルタ槽１１から１次フィルタ槽１２を取り外してから、当該両フィルタ槽１１、１２内には、図４に示すように、各一枚の濾過紙２１をその中央部分から手作業により押し込んで周辺を引き起こすようにして内装する。これによって、中央に上方開口の大きな空間部２１ａが形成される。
【００４１】
また、必要に応じて、図３に示すように、２次フィルタ槽１１および１次フィルタ槽１２それぞれに内装された濾過紙２１の内側には、比較的大きな汚水物を捕獲させるための合成樹脂製の網状筒体２２を装着しておく。
【００４２】
すなわち、ジョイント手段Ｐとしてのジョイント軸部１６を備えた蓋部１２ｂを１次フィルタ槽１２に取り付けてから、該ジョイント軸部１６を介して濾過容器２側の蓋部１９を濾過容器２に被嵌する。このとき、中央に汚水供給管２０が貫設された濾過容器２側の蓋部１９が当該濾過容器２の上方開口部に被嵌されると同時に、汚水供給管２０をジョイント軸部１６の筒内に嵌め込む。そして、ジョイント軸部１６のフランジ部１７に形成されているボルト孔１８と、濾過容器２側の蓋部１９に形成されているボルト孔１８とを互いに合致させ、上方からボルト１８ａをねじ込む。
【００４３】
濾過を行うに際し、濾過容器２側の蓋部１９に取り付けられている汚水供給管２０にホースを取り付け、該ホースは吸水ポンプを介して不図示の汚水槽内に投入され、該汚水供給管２０を通じて汚水槽内の汚水を１次フィルタ槽１２内に注入する。
【００４４】
これと同時にコード７のコンセントを電源に接続し、スイッチ６をＯＮ側に廻して駆動モータ４の回転数を調整しながら２次フィルタ槽１１と１次フィルタ槽１２とを同時に高速回転させる。
【００４５】
このとき、２次フィルタ槽１１および１次フィルタ槽１２による同時の遠心分離作用により、１次フィルタ槽１２内の濾過紙２１によって油脂成分およびスカム等の汚水物が除去されると同時に、１次フィルタ槽１２の開孔１０を通って２次フィルタ槽１１内に送られた汚水物が当該２次フィルタ槽１１内の濾過紙２１によってさらに細かい油脂成分およびスカム等の汚水物が除去される。
【００４６】
したがって、高濃度の汚水物が両フィルタ槽１１、１２内の濾過紙２１によって捕捉される。また、浄化処理後の汚水は高純度の清水となって２次フィルタ槽１１の開孔１０を通ってから、排水管８から排出される。
【００４７】
浄化処理後には、濾過容器２側の蓋部１９からボルト１８ａを取り外してから、当該蓋部１９を外し、さらに１次フィルタ槽１２の蓋部１２ａ、および１次フィルタ槽１２を取り外し、両フィルタ槽１１、１２内の濾過紙２１を新しいものに交換する。
【００４８】
こうして、本発明による汚水浄化装置は、建物内の排水設備等を汚すことなく汚水の浄化が可能であり、厨房内の排水処理に限らず種々の施設における汚水浄化を強力かつ迅速に実行できるものである。しかも、本発明による汚水浄化装置は可搬型であることから、従来の固定設置型の浄化装置と異なり、極めて利用効率が高いものである。
【００４９】
尚、本発明は、前記実施の形態に限定されるものではなく、本発明の目的を達成できる範囲での改良変形等は本発明に包含されるものである。
【図面の簡単な説明】
【００５０】
【図１】本発明を実施するための最良の形態における汚水浄化装置の縦断面図である。
【図２】同じく汚水浄化装置を分解した状態の縦断面図である。
【図３】同じく外側の２次フィルタ槽、内側の１次フィルタ槽、両フィルタ槽の網状筒体それぞれを組み付ける状態を示す分解斜視図である。
【図４】同じく両フィルタ槽内に濾過材を装着する一例を示す斜視図である。
【図５】同じくジョイント手段の他例を示す断面図である。
【図６】従来例にける汚水溜め機構の概略構成を示す説明図である。
【符号の説明】
【００５１】
Ｐ      ジョイント手段
Ｋ      キャスター
１      基台
２      濾過容器
３      駆動部
４      駆動モータ
４ａ    回転軸
５      制御回路部
６      スイッチ
７      コード
８      排水管
９      開口部
１０    開孔
１１    ２次フィルタ槽
１２    １次フィルタ槽
１２ａ  蓋部
１２ｂ  蓋部
１２ｃ  内嵌部分
１２ｄ  周溝部分
１２ｅ  係止溝部
１２ｆ  係止突起
１３    軸筒部
１４    ラジアル軸受
１５    シーリング部材
１６    ジョイント軸部
１７    フランジ部
１８    ボルト孔
１８ａ  ボルト
１９    蓋部
２０    汚水供給管
２１    濾過紙
２１ａ  空間部
２２    網状筒体
３０    蓋部材
３１    受具
３１ａ  軸受孔
３１ｂ  係止孔
３２    一次フィルタ槽
３３    継手
３３ａ  回転軸部
３３ｂ  フランジ
【図１】
2010099585.tif 000003
【図２】
2010099585.tif 000004
【図３】
2010099585.tif 000005
【図４】
2010099585.tif 000006
【図５】
2010099585.tif 000007
【図６】
2010099585.tif 000008